(57)【要約】【課題】生理機能活性化装置において、生理機能の活性化作用を向上する。【解決手段】温度変動運転では、高温保持動作と低温保持動作とが少なくとも１回ずつ交互に実行される。高温保持動作が実行されると、ルームエアコン（20）の目標温度が高温側目標温度に保持され、人体に温熱刺激が付与される。一方、低温保持動作が実行されると、ルームエアコン（20）の目標温度が低温側目標温度に保持され、人体に冷熱刺激が付与される。さらに、低温保持動作中に、吹出口（33）から人体へ冷風が直接到達しないように、ルームエアコン（20）のフラップ（34）の角度が変更される。【選択図】図１
2012042097.tif 000002
【特許請求の範囲】
【請求項１】
吹出口（33）から温風又は冷風を送風することで室内の温度を変化させ、人体に温熱刺激又は冷熱刺激を与える空調部（20）と、
前記空調部（20）の目標温度が所定時間に亘って前記温熱刺激を与えるための高温側目標温度に保持される高温保持動作と、該空調部（20）の目標温度が所定時間に亘って高温側目標温度よりも低く且つ前記冷熱刺激を与えるための低温側目標温度に保持される低温保持動作とが少なくとも１回ずつ実行される温度変動運転を行うための空調制御部（50）とを備え、
前記空調部（20）は、前記低温保持動作中に、前記吹出口（33）から人体へ冷風を直接到達させないように、その送風動作が制御されることを特徴とする生理機能活性化装置。
【請求項２】
請求項１において、
前記空調部（20）の吹出口（33）には、吹出空気の風向を変更可能なフラップ（34）が設けられ、
前記フラップ（34）は、前記低温保持動作中に、前記吹出口（33）から人体へ冷風を直接到達させないように、そのフラップ角度が変更されることを特徴とする生理機能活性化装置。
【請求項３】
請求項１において、
前記空調部（20）は、前記低温保持動作中に、送風動作が停止されることを特徴とする生理機能活性化装置。
【請求項４】
請求項１乃至３のうち何れか１つにおいて、
前記空調部（20）は、前記高温保持動作中に、前記吹出口（33）から人体へ温風を直接到達させるように、その送風動作が制御されることを特徴とする生理機能活性化装置。
【請求項５】
請求項４において、
前記空調部（20）の吹出口（33）には、吹出空気の風向を変更可能なフラップ（34）が設けられ、
前記フラップ（34）は、前記高温保持動作中に、前記吹出口（33）から人体へ温風を直接到達させるように、そのフラップ角度が変更されることを特徴とする生理機能活性化装置。
【発明の詳細な説明】
【技術分野】
【０００１】
本発明は、人体に温熱刺激と冷熱刺激とを与えることで、人体の生理機能を活性化させる生理機能活性化装置に関するものである。
【背景技術】
【０００２】
人体の生理機能（特に末梢血管運転機能等）を活性化させるための生理機能活性化装置として、人体に温熱刺激及び冷熱刺激を付与するものが知られている。特許文献１には、この種の生理機能活性化装置が開示されている。
【０００３】
特許文献１の生理機能活性化装置は、ヒートポンプ式の空気調和装置と、この空気調和装置を制御するための制御部とを備えている。この空気調和装置では、通常の冷房運転や暖房運転に加えて、室内温度を変動させることで在室者に温熱刺激又は冷熱刺激を与える温度変動運転（変動運転モード）が行われる。この温度変動運転により、人体の末梢血管運動機能を活性化し、ひいては血圧調節作用、血液循環調節作用、体温調節作用等を促進するようにしている。
【先行技術文献】
【特許文献】
【０００４】
【特許文献１】特開２００９−４１７９５号公報
【発明の概要】
【発明が解決しようとする課題】
【０００５】
ところで、特許文献１に開示された生理機能活性化装置では、冷熱刺激を与えるための低温保持動作時に、空気調和装置から在室者へ冷風が直接到達すると、体感温度が急激に変化することで在室者が不快感を覚えてしまうことがある。そこで、在室者の体感温度の変化を小さくするために、気流速度を弱めることが考えられる。しかしながら、気流速度を弱めた場合には、在室者の周囲の温度が緩やかに変動してしまうため、在室者に与える冷熱刺激が弱くなり、生理機能の活性化を十分に図ることができない。
【０００６】
本発明は、かかる点に鑑みてなされたものであり、その目的は、生理機能活性化装置において、生理機能の活性化作用を向上することにある。
【課題を解決するための手段】
【０００７】
本発明は、生理機能活性化装置を対象とし、次のような解決手段を講じた。
【０００８】
すなわち、第１の発明は、吹出口（33）から温風又は冷風を送風することで室内の温度を変化させ、人体に温熱刺激又は冷熱刺激を与える空調部（20）と、
前記空調部（20）の目標温度が所定時間に亘って前記温熱刺激を与えるための高温側目標温度に保持される高温保持動作と、該空調部（20）の目標温度が所定時間に亘って高温側目標温度よりも低く且つ前記冷熱刺激を与えるための低温側目標温度に保持される低温保持動作とが少なくとも１回ずつ実行される温度変動運転を行うための空調制御部（50）とを備え、
前記空調部（20）は、前記低温保持動作中に、前記吹出口（33）から人体へ冷風を直接到達させないように、その送風動作が制御されることを特徴とするものである。
【０００９】
なお、ここでいう「高温側目標温度」とは、人体の周囲近傍の空気の温度のうち、人体に所望とする温熱刺激を与えるための目標温度である。また、ここでいう「低温側目標温度」とは、人体の周囲近傍の空気の温度のうち、人体に所望とする冷熱刺激を与えるための目標温度である。
【００１０】
第１の発明では、高温側目標温度と低温側目標温度とが設定され、温度変動運転では、高温保持動作と低温保持動作とが少なくとも１回ずつ交互に実行される。高温保持動作が実行されると、空調部（20）の目標温度が高温側目標温度に保持される。これにより、人体の周囲の温度が高くなり人体に温熱刺激が付与される。その結果、例えば人体の皮膚末梢血管が拡張する。一方、低温保持動作が実行されると、空調部（20）の目標温度が低温側目標温度に保持される。これにより、人体の周囲の温度が低くなり人体に冷熱刺激が付与される。その結果、例えば人体の皮膚末梢血管が収縮する。以上のように、温度変動運転では、高温保持動作と低温保持動作とが少なくとも１回ずつ交互に実行されることで、人体に温熱刺激と冷熱刺激とが付与される。
【００１１】
さらに、低温保持動作中に、吹出口（33）から人体へ冷風が直接到達しないように、空調部（20）の送風動作を制御するようにしている。このようにすれば、冷風によって体感温度が下がりすぎてしまうことで在室者が不快感を覚えることを抑制しつつ、冷熱刺激を与えるための目標温度に室内温度を保持することができる。
【００１２】
第２の発明は、第１の発明において、
前記空調部（20）の吹出口（33）には、吹出空気の風向を変更可能なフラップ（34）が設けられ、
前記フラップ（34）は、前記低温保持動作中に、前記吹出口（33）から人体へ冷風を直接到達させないように、そのフラップ角度が変更されることを特徴とするものである。
【００１３】
第２の発明では、空調部（20）の吹出口（33）にフラップ（34）が設けられる。そして、低温保持動作中に、吹出口（33）から人体へ冷風が直接到達しないようにフラップ角度が変更される。このようにすれば、フラップ（34）の角度を変更することで、人体に冷風を直接到達させない制御を行うことができる。
【００１４】
第３の発明は、第１の発明において、
前記空調部（20）は、前記低温保持動作中に、送風動作が停止されることを特徴とするものである。
【００１５】
第３の発明では、空調部（20）において、低温保持動作中に送風動作が停止される。このようにすれば、低温保持動作中に人体に冷風が直接到達することがないため、冷風によって体感温度が下がりすぎてしまうことで在室者が不快感を覚えることを抑制しつつ、冷熱刺激を与えるための目標温度に室内温度を保持することができる。
【００１６】
第４の発明は、第１乃至第３の発明のうち何れか１つにおいて、
前記空調部（20）は、前記高温保持動作中に、前記吹出口（33）から人体へ温風を直接到達させるように、その送風動作が制御されることを特徴とするものである。
【００１７】
第４の発明では、空調部（20）において、高温保持動作中に、吹出口（33）から吹き出された温風が人体へ直接到達するようにその送風動作が制御される。このようにすれば、人体の周囲近傍の空気の温度を早めに高温側目標温度に保持することができる。
【００１８】
具体的に、人体に温風を直接到達させないように空調部（20）の送風動作を制御した場合には、室内全体を温めるのに時間がかかり、人体の周辺近傍の温度が高温側目標温度に到達するまでの時間が長くなってしまう。
【００１９】
これに対し、本発明では、人体に温風を直接到達させるようにしている。すなわち、人体に温風を直接吹き付けたとしても、冷風を直接吹き付けた場合に比べて不快感を覚えることは少ないことから、人体の周辺近傍の空気の温度を高温側目標温度に到達させることを優先するようにしている。
【００２０】
第５の発明は、第４の発明において、
前記空調部（20）の吹出口（33）には、吹出空気の風向を変更可能なフラップ（34）が設けられ、
前記フラップ（34）は、前記高温保持動作中に、前記吹出口（33）から人体へ温風を直接到達させるように、そのフラップ角度が変更されることを特徴とするものである。
【００２１】
第５の発明では、空調部（20）の吹出口（33）にフラップ（34）が設けられる。そして、高温保持動作中に、吹出口（33）から人体へ冷風が直接到達するようにフラップ角度が変更される。このようにすれば、フラップ（34）の角度を変更することで、人体に温風を直接到達させる制御を行うことができる。
【発明の効果】
【００２２】
本発明によれば、温度変動運転において、人体の周囲の温度を急激に上昇又は低下できるので、人体に冷熱刺激や温熱刺激を付与できる。その結果、例えば皮膚末梢血管の機能等を活性化でき、ひいては人体の生理機能を効果的に活性化できる。従って、人体の血圧調節作用、血液循環調節作用、体温調節作用等を促進でき、これにより、冷え性の改善、高血圧の予防、代謝・修復機能の低下防止、疲労回復の促進、熱中症の予防等を図ることができる。
【００２３】
さらに、低温保持動作中に、吹出口（33）から人体へ冷風が直接到達しないように、空調部（20）の送風動作を制御するようにしている。このようにすれば、冷風によって体感温度が下がりすぎてしまうことで在室者が不快感を覚えることを抑制しつつ、冷熱刺激を与えるための目標温度に室内温度を保持することができる。
【図面の簡単な説明】
【００２４】
【図１】本発明の実施形態に係る生理機能活性化装置の運転状況を表した概略構成図である。
【図２】ルームエアコンの冷媒回路の概略構成図である。
【図３】生理機能活性化装置の概略構成を示すブロック図である。
【図４】生理機能活性化装置の目標温度の変化を表すタイムチャート図である。
【図５】温度変動パターンの例であり、生理機能活性化装置の目標温度の変化を表すタイムチャート図である。
【図６】ルームエアコンと人体との間の距離と、人体に到達する気流の温度及び速度との関係を表したグラフ図である。
【図７】温度変動パターンを固定とした場合の目標温度の変化を表すタイムチャート図である。
【発明を実施するための形態】
【００２５】
以下、本発明の実施形態を図面に基づいて説明する。なお、以下の好ましい実施形態の説明は、本質的に例示に過ぎず、本発明、その適用物或いはその用途を制限することを意図するものではない。
【００２６】
図１は、本発明の実施形態に係る生理機能活性化装置の運転状況を表した概略構成図である。図１に示すように、生理機能活性化装置（10）は、人体に温熱刺激と冷熱刺激とを与えることで、人体の生理機能を活性化させるものであり、空調部としてのルームエアコン（20）を備えている。
【００２７】
前記ルームエアコン（20）は、蒸気圧縮式の冷凍サイクルを行うヒートポンプ式の冷凍装置（空気調和装置）を構成している。つまり、ルームエアコン（20）は、冷媒が循環して冷凍サイクルを行う冷媒回路（21）を備えている（図２参照）。冷媒回路（21）には、圧縮機（22）と、室外熱交換器（23）と、膨張弁（24）と、室内熱交換器（25）と、四方切換弁（26）とが接続されている。圧縮機（22）は、容量が可変なインバータ式に構成されている。膨張弁（24）は、例えば電子膨張弁で構成されている。
【００２８】
前記冷媒回路（21）では、四方切換弁（26）の切り換えに伴って、冷媒の流路が変更される。これにより、冷媒回路（21）では、室外熱交換器（23）が凝縮器となり室内熱交換器（25）が蒸発器となる冷凍サイクル（冷媒が図２の実線矢印の方向に流れる冷凍サイクル）と、室外熱交換器（23）が蒸発器となり室内熱交換器（25）が凝縮器となる冷凍サイクル（冷媒が図２の破線矢印の方向に流れる冷凍サイクル）とが変更可能となっている。
【００２９】
前記ルームエアコン（20）は、室内空間（S）に配設される室内ユニット（30）を備えている。室内ユニット（30）は、例えば室内の壁面に取り付けられる、いわゆる壁掛け式に構成されている。
【００３０】
前記室内ユニット（30）は、横長のケーシング（31）を備えている。ケーシング（31）には、前側に吸込口（32）が形成され、下部に吹出口（33）が形成されている。ケーシング（31）の内部には、吸込口（32）から吹出口（33）に亘って空気通路が形成されている。この空気通路には、上述した室内熱交換器（25）と、室内ファン（27）とが設けられている。室内ファン（27）を運転すると、室内空間（S）の空気が吸込口（32）を通じてケーシング（31）の内部に取り込まれる。この空気は、室内熱交換器（25）を通過した後、吹出口（33）を通じて室内空間（S）へ供給される。室内ファン（27）は、人体に対して空気を供給する空気送風部を構成している。また、室内ファン（27）は、ファンモータの回転数が可変に構成されている。吹出口（33）には、気流制御板としてのフラップ（34）が設けられている。このフラップ（34）の角度を制御することで、吹出空気の風向が変更可能となっている。
【００３１】
図３は、生理機能活性化装置の概略構成を示すブロック図である。図３に示すように、生理機能活性化装置（10）は、設定部（40）と空調制御部（50）とを備えている。
【００３２】
前記設定部（40）には、ルームエアコン（20）に関する各種の運転パラメータが設定される。設定部（40）には、運転切換設定部（41）と、通常運転設定部（42）と、変動運転設定部（43）とが設けられている。
【００３３】
前記運転切換設定部（41）は、ルームエアコン（20）の運転を切り換えるためのスイッチである。ルームエアコン（20）の運転モードは、「通常運転」と「鍛錬運転」とに大別される。「通常運転」は、室内空間（S）の温度がユーザー等の所望とする温度（空調目標温度）に近づくように空調を行う運転である。この「通常運転」は、室内熱交換器（25）を蒸発器とする冷凍サイクルを行う冷房運転と、室内熱交換器（25）を凝縮器とする冷凍サイクルを行う暖房運転とに分類される。また、「鍛錬運転」は、室内空間（S）の在室者の生理機能を活性化させるための運転である。すなわち、「鍛錬運転」は、室内空間（S）の温度を変化させることで、人体に温熱刺激と冷熱刺激とを与える温度変動運転である。
【００３４】
前記通常運転設定部（42）には、ルームエアコン（20）の通常運転に関する運転パラメータが設定される。具体的には、通常運転設定部（42）には、空調温度設定部（42a）と、風量設定部（42b）と、風向設定部（42c）とが設けられている。
【００３５】
前記空調温度設定部（42a）には、ルームエアコン（20）の空調の対象となる室内の設定温度Ｔsが入力される。つまり、空調温度設定部（42a）には、通常運転時のルームエアコン（20）の目標温度が設定される。
【００３６】
前記風量設定部（42b）には、通常運転時のルームエアコン（20）について、吹出口（33）から吹き出される空気（吹出空気）の風量が入力設定される。なお、この吹出空気の風量は、例えば室内ファン（27）のモータの回転数を制御することで、変更可能となっている。
【００３７】
前記風向設定部（42c）には、通常運転時のルームエアコン（20）の吹出空気の風向が入力設定される。なお、吹出空気の風向は、吹出口（33）に設けられたフラップ（34）の角度を制御することで変更可能となっている。
【００３８】
前記変動運転設定部（43）には、ルームエアコン（20）の鍛錬運転に関する運転パラメータが設定される。具体的には、変動運転設定部（43）には、刺激温度設定部（43a）と、変動パターン設定部（43b）とが設けられている。
【００３９】
前記刺激温度設定部（43a）には、鍛錬運転時のルームエアコン（20）の目標温度として、高温側目標温度Ｔmaxと低温側目標温度Ｔminとがそれぞれ設定される。高温側目標温度Ｔmaxは、鍛錬運転時において、人体に温熱刺激を与えるための温度であり、人体の皮膚末梢血管を拡張させるための環境温度である。すなわち、高温側目標温度Ｔmaxは、人体の周囲近傍の空気の温度のうち、人体に所望とする温熱刺激を与えるための目標温度である。本実施形態では、高温側目標温度Ｔmaxを２８℃以上３２℃以下としている。
【００４０】
また、低温側目標温度Ｔminは、鍛錬運転時において、人体に冷熱刺激を与えるための温度であって、人体の皮膚末梢血管を収縮させるための環境温度である。すなわち、低温側目標温度Ｔminは、人体の周囲近傍の空気の温度のうち、人体に所望とする冷熱刺激を与えるための目標温度である。本実施形態では、低温側目標温度Ｔminを１８℃以上２２℃以下としている。
【００４１】
前記変動パターン設定部（43b）には、鍛錬運転時のルームエアコン（20）の目標温度を、時間の経過に伴ってどのように変化させるか、というような目標温度の変動パターンが設定される。具体的には、変動パターン設定部（43b）には、図４に示すように、鍛錬運転の開始から終了までの間に、ルームエアコン（20）の目標温度をＴmin→Ｔmax→Ｔminという順で変化させるような変動パターンが設定される。すなわち、本実施形態では、ルームエアコン（20）の目標温度を低温側目標温度Ｔminに保持する動作（低温保持動作）が終了すると、ルームエアコン（20）の目標温度を高温側目標温度Ｔmaxに保持する動作（高温保持動作）が実行され、この高温保持動作が終了すると、再び低温保持動作が実行される。
【００４２】
また、本実施形態の変動パターン設定部（43b）には、上述した各動作が実行される時間（ｔ１、t２、t３）が設定される（図４参照）。本実施形態では、第１時間ｔ１が１２．５分に設定され、第２時間ｔ２が３５分に設定され、第３時間ｔ３が１２．５分に設定されている。つまり、本実施形態では、高温保持動作が実行される時間（本実施形態では、時間ｔ２）が、低温保持動作が実行される時間（本実施形態では、時間ｔ１及び時間ｔ３）よりも長くなっている。また、本実施形態では、高温保持動作の直前の低温保持動作の実行時間（本実施形態では、時間ｔ１）と、高温保持動作の直後の低温保持動作の実行時間（本実施形態では、時間ｔ３）とが、同じ時間（例えば１２．５分）に設定されている。
【００４３】
前記空調制御部（50）は、設定部（40）に設定された各種の運転パラメータ等に基づいて、ルームエアコン（20）を制御するものであり、通常運転や鍛錬運転を行うためのコントローラを構成している。空調制御部（50）は、例えば圧縮機（22）の運転周波数、室内ファン（27）の回転数、膨張弁（24）の開度、四方切換弁（26）の設定等をそれぞれ制御するように構成されている。
【００４４】
−運転動作−
以下、生理機能活性化装置（10）の運転動作について説明する。
【００４５】
〈通常運転〉
まず、ルームエアコン（20）の通常運転について説明する。ルームエアコン（20）の通常運転では、冷房運転と暖房運転とが切り換えられる。
【００４６】
冷房運転では、圧縮機（22）の吐出側と室外熱交換器（23）とが連通すると同時に圧縮機（22）の吸入側と室内熱交換器（25）とが連通するように、四方切換弁（26）が設定される。この状態から圧縮機（22）が運転されると、圧縮機（22）から吐出された冷媒が室外熱交換器（23）で凝縮し、膨張弁（24）で減圧された後に、室内熱交換器（25）を流れる（図２の実線矢印を参照）。
【００４７】
また、冷房運転中のルームエアコン（20）において、室内ファン（27）が運転されると、室内空間（S）の空気が吸込口（32）よりケーシング（31）内に導入される。ケーシング（31）内に導入された空気は、空気通路を流れて室内熱交換器（25）を通過する。室内熱交換器（25）では、冷媒が空気から吸熱して蒸発し、この空気が冷却される。室内熱交換器（25）で蒸発した冷媒は、圧縮機（22）に吸入されて圧縮される。室内熱交換器（25）で冷却された空気は、吹出口（33）を通じてケーシング（31）の外部（すなわち、室内空間（S））へ供給される。
【００４８】
暖房運転では、圧縮機（22）の吐出側と室内熱交換器（25）とが連通すると同時に圧縮機（22）の吸入側と室外熱交換器（23）とが連通するように、四方切換弁（26）が設定される。この状態から圧縮機（22）が運転されると、圧縮機（22）から吐出された冷媒が室内熱交換器（25）を流れる（図２の破線矢印を参照）。
【００４９】
また、暖房運転中のルームエアコン（20）において、室内ファン（27）が運転されると、室内空間（S）の空気が吸込口（32）よりケーシング（31）内に導入される。ケーシング（31）内に導入された空気は、空気通路を流れて室内熱交換器（25）を通過する。室内熱交換器（25）では、冷媒が空気に放熱して凝縮し、この空気が加熱される。室内熱交換器（25）で凝縮した冷媒は、膨張弁（24）で減圧された後に室外熱交換器（23）で蒸発し、圧縮機（22）に吸入されて圧縮される。室内熱交換器（25）で加熱された空気は、吹出口（33）を通じてケーシング（31）の外部（すなわち、室内空間（S））へ供給される。
【００５０】
以上のような通常運転（冷房運転や暖房運転）では、ルームエアコン（20）の空調対象となる室内空間（S）の温度が、空調温度設定部（42a）に設定された設定温度Ｔsに近づくように、ルームエアコン（20）の能力が制御される。具体的には、例えば本実施形態のルームエアコン（20）の吸込口（32）には、吸込温度センサ（35）が設けられている。そして、空調制御部（50）は、吸込温度センサ（35）で検出された空気（吸込空気）の温度が、設定温度Ｔsに近づくように、圧縮機（22）の運転周波数や発停の制御を行う。これにより、冷房運転や暖房運転では、室内空間（S）の空気の温度が設定温度Ｔsへと収束していく。
【００５１】
〈鍛錬運転〉
次に、ルームエアコン（20）の鍛錬運転について説明する。運転切換設定部（41）の運転モードを「鍛錬運転」に設定して運転を開始すると、以下のような鍛錬運転が行われる。
【００５２】
図４に示すように、鍛錬運転を開始すると、時間ｔ１に亘って低温保持動作が実行される。つまり、時間ｔ１（１２．５分間）においては、ルームエアコン（20）の目標温度が低温側目標温度Ｔmin（２２℃）となる。すなわち、空調制御部（50）は、室内空間（S）の在室者の周囲の温度が低温側目標温度Ｔminに近づくように、ルームエアコン（20）を制御する。ここで、空調制御部（50）は、例えば吸込温度センサ（35）で検出した吸込空気の温度が、低温側目標温度Ｔminに近づくように、圧縮機（22）の運転周波数や発停の制御を行う。
【００５３】
具体的に、室温が２２℃以下のときに鍛錬運転を開始すると、低温保持動作を行うべく、目標温度１８℃以上２２℃以下で暖房運転が行われる。一方、室温が２２℃以上２５℃のときに鍛錬運転を開始すると、低温保持動作を行うべく、目標温度２２℃で冷房運転が行われる。ここで、低温保持動作中では、吹出口（33）から人体へ冷風が直接到達しないように、フラップ（34）の角度を変更するようにしている。このようにすれば、冷風によって体感温度が下がりすぎてしまうことで在室者が不快感を覚えることを抑制しつつ、冷熱刺激を与えるための目標温度に室内温度を保持することができる。
【００５４】
なお、室温が２５℃以上のときに鍛錬運転を開始すると、低温保持動作ではなく通常の冷房運転が行われる。すなわち、冷風を在室者に直接到達させて体感温度を下げるように、フラップ（34）の角度を変更する。
【００５５】
以上のようにして、低温保持動作が実行されると、在室者には、冷熱刺激が付与される。これにより、在室者の皮膚末梢血管が収縮していく。そして、在室者には、このような冷熱刺激が時間ｔ１に亘って連続的に付与される。このため、時間ｔ１において、在室者の皮膚末梢血管が確実に収縮状態となる。なお、このようにして、在室者の皮膚末梢血管を確実に収縮させるためには、初回の低温保持動作の実行時間ｔ１を１２．５分以上とするのが良い。
【００５６】
そして、時間ｔ１が経過して最初の低温保持動作が終了すると、その終了直後に高温保持動作が実行される。つまり、時間ｔ２（３５分間）においては、ルームエアコン（20）の目標温度が高温側目標温度Ｔmax（２８℃）となる。すなわち、空調制御部（50）は、室内空間（S）の在室者の周囲の温度が、Ｔmaxに近づくように、ルームエアコン（20）を制御する。より具体的には、空調制御部（50）は、例えば吸込温度センサ（35）で検出した吸込空気の温度が、高温側目標温度Ｔmaxに近づくように、圧縮機（22）の運転周波数や発停の制御を行う。
【００５７】
ここで、冷熱刺激から温熱刺激に切り換える際の温度勾配は、図４に破線矢印で示すように、６℃／２５分以上の条件を満たすように設定するのが好ましい。また、温熱刺激を維持するために、時間ｔ２（３５分間）のうち少なくとも１０分間は、２８℃以上の気流温度を実現するようにしている（図４の斜線領域参照）。
【００５８】
ここで、高温保持動作中では、吹出口（33）から人体へ温風が直接到達するように、フラップ（34）の角度を変更するようにしている。すなわち、人体に温風を直接吹き付けたとしても、冷風を直接吹き付けた場合に比べて不快感を覚えることは少ないことから、在室者の周辺近傍の空気の温度を高温側目標温度Ｔmaxに到達させることを優先するようにしている。
【００５９】
以上のようにして、低温保持動作の終了直後に高温保持動作が実行されると、在室者の周囲の温度が急激に上昇する。このため、在室者には、急峻な温熱刺激が付与される。これにより、在室者の皮膚末梢血管が速やかに拡張していく。そして、在室者には、このような温熱刺激が時間ｔ２に亘って連続的に付与される。このため、時間ｔ２においては、高温保持動作の開始直前までは収縮状態であった皮膚末梢血管を、確実に拡張状態とすることができる。なお、このようにして、在室者の皮膚末梢血管を確実に拡張させるためには、高温保持動作の実行時間ｔ２を３５分以上とするのが良い。
【００６０】
また、冷え性の在室者の場合、皮膚末梢血管が収縮状態に成りやすい傾向がある。このため、初回の低温保持動作の実行時間よりも、その直後の高温保持動作の実行時間を長くすることで、このような冷え性の在室者の皮膚末梢血管を拡張状態へと遷移させ易くなる
そして、時間ｔ２が経過して高温保持動作が終了すると、その終了直後に２回目の低温保持動作が実行される。つまり、時間ｔ３（１２．５分）においては、ルームエアコン（20）の目標温度が再び低温側目標温度Ｔmin（２２℃）となる。これにより、在室者の周囲の温度が低温側目標温度Ｔminへと下降していく。その結果、在室者には、急峻な冷熱刺激が付与され、在室者の皮膚末梢血管が速やかに収縮していく。なお、２回目の低温保持動作の実行時間が短すぎると、在室者に付与される冷熱刺激が不十分となる。このため、２回目の低温保持動作の実行時間ｔ３は、１２．５分以上とするのが好ましい。
【００６１】
ここで、室温が２５℃以上のとき（図４の温度勾配１）には、低温保持動作ではなく通常の冷房運転が行われる。すなわち、冷風を在室者に直接到達させて体感温度を下げるように、フラップ（34）の角度を変更する。
【００６２】
また、低温保持動作中に室温が２０℃以上２５℃以下のとき（図４の温度勾配２）には、気流により体感温度が下がりすぎるのを防止するために、ルームエアコン（20）の送風動作が停止される。そして、室温が２０℃以下のとき（図４の温度勾配３）には、目標温度２０℃で暖房運転が行われる。
【００６３】
時間ｔ３が経過して２回目の低温保持動作が完了すると、鍛錬運転が終了して自動的に通常運転が実行される。その結果、ルームエアコン（20）の目標温度が設定温度Ｔsとなり、上述した冷房運転や暖房運転が行われる。従って、鍛錬運転の後には、室内空間（S）の温度が設定温度Ｔsに近づいていくので、室内空間（S）の快適性が速やかに改善されていく。
【００６４】
ここで、空調制御部（50）は、室内空間（S）の在室者の周囲近傍の温度を目標温度に近づけるためにルームエアコン（20）を制御している。具体的には、ルームエアコン（20）のリモコンに温度センサを内蔵することで在室者の周囲近傍の温度を直接的に検出し、その値が目標温度となるようにルームエアコン（20）の設定温度をフィードバック制御するようにしている。
【００６５】
図５は、温度変動パターンの例であり、生理機能活性化装置の目標温度の変化を表すタイムチャート図である。図５に示すように、在室者の周囲近傍の温度を直接的に検出してルームエアコン（20）の設定温度をフィードバックすることで、目標温度に安定制御できていることが分かる。
【００６６】
また、在室者の周囲近傍の温度を直接的に検出する他にも、吹出口（33）から吹き出される空気の温度変化を推定することで、在室者の周囲近傍の温度を間接的に検出し、その値が目標温度となるようにルームエアコン（20）の設定温度をフィードバック制御してもよい。
【００６７】
図６は、ルームエアコンと人体との間の距離と、人体に到達する気流の温度及び速度との関係を表したグラフ図である。図６に示すように、吹出口（33）から吹き出される空気の温度や風速、ルームエアコン（20）と人体との間の距離等に基づいて、人体に到達するまでの空気の温度変化を推定することができる。そして、この推定値が目標温度となるように、ルームエアコン（20）の設定温度を制御すればよい。
【００６８】
なお、空気の風速は、例えば風速センサ等で直接的に検出することもできるし、例えば室内ファン（27）の風量、吹出口（33）のフラップ（34）の角度等に基づいて、間接的に求めることもできる。また、ルームエアコン（20）と人体との間の距離は、予めユーザーに鍛錬運転を受けるための位置を指定しておく、あるいは赤外線センサ等によって人体の位置を検出することで求めるようにすればよい。
【００６９】
また、ルームエアコン（20）の別の制御方法として、ルームエアコン（20）の設定温度を固定としてもよい。図７は、温度変動パターンを固定とした場合の目標温度の変化を表すタイムチャート図である。図７に示す例では、冷熱刺激を行うときには、ルームエアコン（20）の設定温度を２１℃で固定するようにしている。また、温熱刺激を行うときには、設定温度を２８℃で固定するようにしている。なお、設定温度はあくまでも一例であり、室内の広さ、在室者の着衣量、ルームエアコン（20）と在室者との間の距離等に基づいて、設定温度パターンを複数用意しておくことが好ましい。
【００７０】
《その他の実施形態》
前記実施形態については、以下のような構成としてもよい。
【００７１】
例えば、前記実施形態では、室内の温度を変化させる空調部として、ルームエアコン（20）を用いるようにしている。しかしながら、この空調部（20）として、例えばファンコイルユニット、ヒータ、ペルチェ素子等を用いるようにしてもよい。すなわち、空調部（20）は、空気を加熱又は冷却できる手段であれば、如何なるものであっても良い。
【産業上の利用可能性】
【００７２】
以上説明したように、本発明は、生理機能活性化装置において、生理機能の活性化作用を向上することができるという実用性の高い効果が得られることから、きわめて有用で産業上の利用可能性は高い。
【符号の説明】
【００７３】
10    生理機能活性化装置
20    ルームエアコン（空調部）
33    吹出口
34    フラップ
50    空調制御部
【図１】
2012042097.tif 000003
【図２】
2012042097.tif 000004
【図３】
2012042097.tif 000005
【図４】
2012042097.tif 000006
【図５】
2012042097.tif 000007
【図６】
2012042097.tif 000008
【図７】
2012042097.tif 000009